(57)【要約】      （修正有）【課題】体臭、ペットの臭い、煙草の臭い、飲食物の臭い等に対する消臭欲求に対し、消臭機能を向上させると共に嗜好の平準化を促す、天然成分を主成分として用いた消臭剤の提供。【解決手段】全体に対して７０〜９０体積％の精製水と、１０〜３０体積％の稲科の多年草であるベチバーの根の水溶性抽出液と、を含む消臭剤。前記消臭剤には、全体に対して０．５〜２５体積％のエチルアルコールを更に含み、その上、０．０３〜０．１体積％のイランイラン又はミントの精油を含んでも良い。【選択図】なし【特許請求の範囲】
【請求項１】
全体に対して７０体積％以上９０体積％以下の精製水と、
全体に対して１０体積％以上３０体積％以下のベチバーの根の水溶性抽出液と、を含む、消臭剤。
【請求項２】
前記ベチバーの根の水溶性抽出液は、全体に対して５体積％以上１０体積％以下である、請求項１記載の消臭剤。
【請求項３】
前記ベチバーの根の水溶性抽出液は、乾燥されたベチバー植物の根を水に浸して、１００〜１２５℃で３０〜４０分間に渡ってオートクレーブ抽出して得られる水溶性抽出物、もしくは乾燥されたベチバー植物の根を水に浸して５０〜６５℃で１〜２時間に渡って熱水抽出して得られる水溶性抽出物である液体、もしくは乾燥されたベチバーの根をアルコール抽出して得られる水溶性抽出物である液体を含む、請求項１または２記載の消臭剤。
【請求項４】
全体に対して、０．５体積％以上２５体積％以下のエタノールを更に含む、請求項１から３のいずれか記載の消臭剤。
【請求項５】
全体に対して、０．０３体積％以上０．１体積％以下の精油を更に含む、請求項１から４のいずれか記載の消臭剤。
【請求項６】
前記精油は、イランイランを含む、請求項５記載の消臭剤。
【請求項７】
前記精油は、ミントの精油を含む、請求項５記載の消臭剤。
【請求項８】
全体に対して７３体積％の精製水と、全体に対して５体積％のベチバーの根の水溶性抽出液と、全体に対して２２体積％のエタノールと、不可避混合物を含有する消臭剤。
【請求項９】
全体に対して８９体積％の精製水と、全体に対して１０体積％のベチバーの根の水溶性抽出液と、全体に対して０．９体積％のエタノールと、全体に対して０．１体積％の精油と、不可避混合物を含有する消臭剤。
【発明の詳細な説明】
【技術分野】
【０００１】
本発明は、消臭機能を有する消臭剤であって、ベチバーの根の抽出物を主成分とする消臭剤に関する。
【背景技術】
【０００２】
近年、体臭、ペットの臭い、タバコの臭い、飲食物の臭いなどに敏感に反応する人が増えている傾向がある。体臭であれば、自身から発せられる各人特有のにおいであったり、加齢臭であったりする。清潔感や衛生感を重視する傾向が強まるにつれ、自身から発せられる臭いを抑えたいという欲求が高まっている。この欲求は、日本社会の高齢化に伴って、ますます増加すると考えられる。
【０００３】
また、都市型生活の進歩や清潔志向の高まりで、室内のペットの臭いやタバコの臭いを抑えたり、消したりしたいという欲求も高まっている。来客時に、即座に臭いを消したい場合はもちろんのこと、日常生活においても、臭いを抑えたくなることも多い。
【０００４】
更に、家庭での消臭欲求の延長として、家庭以外でも消臭をしたいとの欲求も高まっている。例えば、旅行先や出張先のホテルや旅館の室内を消臭したいとの欲求は年々高まっている。この結果、ホテルや旅館の部屋に、消臭剤や芳香剤が設置されることも多くなっている。いわゆるスプレー方式の消臭ボトルなどが、ホテルや旅館の部屋に設置される。
【０００５】
このように家庭はもちろんのことホテルの部屋などに設置される消臭剤は、化学的成分を主成分とするものが多い。化学合成された主成分を含む消臭剤は、不快な臭いと異なる臭いを生じさせて悪臭を気付きにくくしたり、悪臭の原因を分解したりする。化学合成された化学的成分が、これらの機能を生じさせるので、臭いに気付きにくくなったり、臭いが消えたりする点では、高い効果を生じさせる。
【０００６】
しかしながら、これらの化学合成された化学的成分を主成分とする消臭剤は、主成分が化学的成分であるために、副作用を生じさせることもある。例えば、化学的成分が、アレルギーを生じさせたり、臭い以外の不快感を生じさせたりすることがある。化学的成分を主成分とする消臭剤では、これらの副作用が全て事前確認されることは難しい。
【０００７】
一方、自然志向の高まりに伴って、化学的成分を主成分とする消臭剤よりも、天然成分を主成分とする消臭剤が求められるようになってきている。消臭されるという機能が発揮されるとしても、化学的成分よりも天然成分を主成分とする消臭剤の方が、現代人の嗜好にあってきている。これは、我が国だけでなく、他国においても同様であり、特に先進国や新興国などの文化の成熟度が高い国において同様である。
【０００８】
このような状況において、天然成分を主成分とする消臭剤が求められている。しかしながら、天然成分は、様々に存在する上に、精製の難しさや配合の難しさといった問題を有している。また、天然成分は、その消臭機能が万能であるのか、特定の臭いにしか効果を有しないのかの判断が難しい問題も有している。加えて、消臭効果を実験で確認することができても、その消臭メカニズムを解析することが難しい場合も多い。
【０００９】
このように、天然成分を主成分とする消臭剤が求められているが、主たる技術が確立されてこなかったのが実情である。このため、家庭はもちろんのこと、ホテルや旅館などに設置される消臭剤は、まだまだこのような化学的成分を主成分とするものが多い。
【００１０】
このような中、イネ科の多年草であるベチバーが、高い消臭成分を有するとして、着目されている。ベチバーの根が有する成分が、消臭成分、芳香成分を有することが知られるようになっている。このため、ベチバーの根を乾燥させたものや、乾燥したベチバーの根の抽出液などが、消臭剤に応用できることが提案されている（例えば、特許文献１参照）。
【先行技術文献】
【特許文献】
【００１１】
【特許文献１】特開２０１０−９４５０６号公報
【発明の概要】
【発明が解決しようとする課題】
【００１２】
特許文献１は、ベチバー植物の抽出物を含む消臭剤を開示する。イネ科の多年草であるベチバーの根には、消臭成分があることが分析されている。特許文献１は、この消臭成分に着目した消臭剤を提案している。ベチバーの根は、消臭成分を有しているので、消臭剤としての機能を達成できる。
【００１３】
しかしながら、ベチバーの根が消臭成分を有しているとしても、ベチバーの根を乾燥させたものをそのまま使用しても、衣服や寝具などの臭いが気になる物品の臭いを消臭することは難しい。また、ベチバーの根は、独特の匂いを有しているが、この匂いに不快を感じる人もいる。家庭用としてこの消臭剤が用いられる場合には、嗜好に合致した人が用いるので問題ないが、ホテル、旅館、オフィスなどの公共空間に設置される場合には、嗜好が分かれやすい消臭剤は好ましくない。最大公約数的に万人受けしやすい消臭剤が、設置される傾向がある。
【００１４】
ベチバーの根の消臭成分は、当然ながら天然成分であり、市販されている化学的成分のような副作用を生じさせる心配がない。特に、近年多いアレルギーを生じさせることも無く、安心して使用できる。しかしながら、消臭機能の更なる向上や嗜好が分かれにくい芳香が、ベチバーの根の消臭成分を用いる消臭剤の普及には必要である。
【００１５】
特許文献１に開示される従来技術は、ベチバーの根の消臭成分への着目までは到達しているが、消臭剤として（特に公共スペースに設置される）普及されるための技術開発に到達していない問題があった。
【００１６】
本発明は、消臭機能を向上させると共に嗜好の平準化を促す、ベチバーの根の成分を用いた消臭剤を提供することを目的とする。
【課題を解決するための手段】
【００１７】
上記課題に鑑み、本発明の消臭剤は、全体に対して７０体積％以上９０体積％以下の精製水と、全体に対して１０体積％以上３０体積％以下のベチバーの根の水溶性抽出液と、を含む。
【発明の効果】
【００１８】
本発明の消臭剤は、ベチバーの根の抽出液を主成分としつつ、精製水と混合されることで、ベチバーの根の消臭機能を残した状態で、ベチバーの根の特有な匂いを抑えることができる。加えて、精製水と混合されて粘度の低い液体の消臭剤となることで、スプレー方式などの態様で消臭剤を様々な用途に使用することができる。
【００１９】
また、本発明の消臭剤は、ベチバーの根の抽出液である天然成分であることで、人体アレルギーなどの副作用を生じさせる心配が少ない。
【００２０】
加えて、芳香性を有する他の配合成分を含めることで、本発明の消臭剤は消臭機能を発揮するだけでなく、実際の使用に際しての嗜好性を強く意識させない。結果として、ホテルや旅館の客室、オフィス、公共交通機関、公共スペースなどに設置されやすくなる。
【００２１】
これらが相まって、人体やペットなどにも優しい天然成分を主成分とする消臭剤が、更に普及するようになる。
【図面の簡単な説明】
【００２２】
【図１】本発明の実施の形態におけるアンモニア消臭実験１の結果を示す説明図である。
【図２】本発明の実施の形態におけるアンモニア消臭実験２の結果を示す説明図である。
【図３】本発明の実施の形態におけるアンモニア消臭実験３の結果を示す説明図である。
【発明を実施するための形態】
【００２３】
本発明の第１の発明に係る消臭剤は、全体に対して７０体積％以上９０体積％以下の精製水と、全体に対して１０体積％以上３０体積％以下のベチバーの根の水溶性抽出液と、を含む。
【００２４】
この構成により、消臭剤は、液体として使用ができ、精製水によって消臭剤の粘度が低下して、ベチバーの根の水溶性抽出液を消臭対象物に適切に噴出することができる。
【００２５】
本発明の第２の発明に係る消臭剤では、第１の発明に加えて、前記ベチバーの根の水溶性抽出液は、全体に対して５体積％以上１０体積％以下である。
【００２６】
この構成により、より粘度を下げた消臭剤が得られる。
【００２７】
本発明の第３の発明に係る消臭剤では、第１または第２の発明に加えて、前記ベチバーの根の水溶性抽出液は、乾燥されたベチバー植物の根を水に浸して、１００〜１２５℃で３０〜４０分間に渡ってオートクレーブ抽出して得られる水溶性抽出物、もしくは乾燥されたベチバー植物の根を水に浸して５０〜６５℃で１〜２時間に渡って熱水抽出して得られる水溶性抽出物である液体、もしくは乾燥されたベチバーの根をアルコール抽出して得られる水溶性抽出物である液体を含む。
【００２８】
この構成により、ベチバーの根の水溶性抽出液がその消臭機能を有したまま得られる。
【００２９】
本発明の第４の発明に係る消臭剤では、第１から第３のいずれかの発明に加えて、全体に対して、０．５体積％以上２５体積％以下のエタノールを更に含む。
【００３０】
この構成により、消臭剤は、噴出の際に拡散および消臭機能の蒸発を容易に起こす。
【００３１】
本発明の第５の発明に係る消臭剤では、第１から第４のいずれかの発明に加えて、全体に対して、０．０３体積％以上０．１体積％以下の精油を更に含む。
【００３２】
この構成により、消臭剤は、芳香を有して使い勝手が高まる。
【００３３】
本発明の第６の発明に係る消臭剤では、第５の発明に加えて、前記精油は、イランイランを含む。
【００３４】
本発明の第７の発明に係る消臭剤では、第５の発明に加えて、前記精油は、ミントの精油を含む。
【００３５】
これらの構成により、消臭剤は、爽やかな芳香を生じさせて、消臭に加えた機能を発揮できる。
【００３６】
以下、図面を参照しながら、本発明の実施の形態を説明する。
【００３７】
（実施の形態）
【００３８】
（全体概要）
ベチバー（学名「Ｖｅｔｉｖｅｒｉａ  Ｚｉｚａｎｉｏｄｅｓ」）は、インド原産のイネ科の多年草であり、乾燥させたその根が実施の形態１の粉末に用いられる。ベチバーは、すすきに似た葉を有し、その葉は、２〜３ｍの永さに達する。加えて、その根は１〜２ｍの地下深くに成長し、強い香を有している。この根が水蒸気蒸留して乾燥されることで、実施の形態で用いられるようになる。ベチバーの根は、乾燥されることで、本来的に有する効能を発揮するようになる。この効能は、消臭機能を含む。
【００３９】
ベチバーの根は、種々の成分を含有しているが、主にベチベロールなどを含んでいる。
【００４０】
実施の形態における消臭剤は、このベチバーの根の水溶性抽出液を用いる。ベチバーの根の水溶性抽出液が用いられることで、得られる消臭剤も液体となり、スプレーや噴霧用の容器で消臭剤が用いられるようになるメリットがある。
【００４１】
（消臭剤１）
実施の形態における消臭剤は、消臭剤全体に対して７０体積％以上９０体積％以下の精製水と、消臭剤全体に対して１０体積％以上３０体積％以下のベチバーの根の水溶性抽出液（以下、「ベチバー抽出液」という）と、を含む。すなわち、ベチバー抽出液という液体に液体である精製水を加えて、液体の消臭剤が得られる。
【００４２】
このように実施の形態における消臭剤は液体であることで、スプレーやミストなどを生じさせる構造を有する容器に収容して、様々な場面で使用されることができる。消臭剤を使用したいのは、衣服や寝具、あるいはその他の臭いの気になる床や壁などである。このような対象物に対しては、スプレー式やミスト式の容器から液体の消臭剤を振り掛けることが適当である。実施の形態における消臭剤は、消臭能力を有するベチバー抽出液に精製水が加えられることで、このようなスプレー式やミスト式の容器によって使用されることができる。
【００４３】
また、ベチバー抽出液は、全体に対して５体積％以上１０体積％以下であることも好適である。この場合には、精製水が、消臭剤全体に対して、９０体積％以上９５体積％以下となるように、全体の割合の中で調整されればよい。ベチバー抽出液が、全体に対して５体積％以上１０体積％以下であることで、精製水の割合が大きくなって、より粘度の低い液体の消臭剤が得られる。
【００４４】
このように、実施の形態における消臭剤は、ベチバー抽出液に精製水が加えられることで、消臭能力を維持しつつ、使い勝手がよくなる。ここで、上述のベチバー抽出液に精製水を加えた消臭剤を、消臭剤１として定義する。
【００４５】
消臭剤１は、高い消臭能力を発揮できる。消臭剤１は、消臭機能を発揮できるベチバー抽出液を主成分としつつ、上述の成分比率での精製水を含むことで、ベチバー抽出液の効能がより発揮される。特に、容器に収容された消臭剤１が噴出されると、精製水の粘度の低さによって、消臭剤１は、広く拡散される。この拡散によって、消臭剤１に含まれるベチバー抽出液も当然に広く拡散される。加えて、粘度の低い精製水の拡散に合わせて、ベチバー抽出液も一様に拡散できる。
【００４６】
このように、粘度の低い精製水とベチバー抽出液が混合された消臭剤１は、容器から噴出される際に、広くかつ一様に拡散される。この拡散によって、ベチバー抽出液も拡散して、使用者の目的とする対象物の消臭を確実に行える。
【００４７】
上述の通り、消臭剤１は、液体であるので、スプレーやミスト状態で噴出できる容器に詰められて、様々な場所で使用可能である。使用者は、容器を把持した上で、内容物である消臭剤を噴出させて、室内を消臭したり、衣服を消臭したりする。衣服を消臭する際には、噴出される消臭剤を、衣服に吹きつけて使用しても良い。
【００４８】
消臭剤１は、液体であるので、容器に収容しやすい。このように容器に収容された消臭剤１は、家庭は当然として、オフィスやホテルなどに備えておくことも容易である。例えば、ホテルや旅館には、匂いを気にする顧客のために、消臭剤が置かれていることも多い。これらの消臭剤の一環として、あるいはこれらの消臭剤の置き換えとして、ホテルや旅館の部屋に設置される。これらの場所に設置されておくことで、匂いを気にする顧客は、不快を感じることが無くなる。
【００４９】
（消臭剤２）
また、消臭剤１において、０．５体積％以上２５体積％以下のエタノールを更に含むことも好適である。すなわち、一例として、全体に対して７０体積％以上９０体積％以下の精製水と、全体に対して５体積％以上１０体積％以下のベチバー抽出液と、全体に対して０．５体積％以上２５体積％以下のエタノールと、を含む。このように、精製水、ベチバー抽出液、エタノールを含む消臭剤を消臭剤２とする。
【００５０】
消臭剤２は、消臭剤１と同様に液体であって粘度が低い。このため、スプレー式やミスト式の容器に収容されて、対象物に噴出して使用されることができる。
【００５１】
また、消臭剤２は、エタノールを含むことで、消臭剤としての粘度を下げるだけでなく、容器から噴出される際の、拡散を広げる機能を有する。エタノールが含まれる消臭剤２が容器から噴出されると、エタノールが蒸発する。この蒸発に合わせて、消臭剤２が拡散しやすくなる。加えて、エタノールの蒸発によって、ベチバー抽出液も合わせて蒸発し、ベチバー抽出液の有する消臭能力が早期に生じる。
【００５２】
このように、エタノールを含む消臭剤２は、エタノールの蒸発作用によって、より効率のよいベチバー抽出液の拡散と機能発揮を実現できる。
【００５３】
（ベチバー抽出液の抽出）
ベチバー抽出液は、乾燥されたベチバーの根から、種々の方法で抽出されれば良い。例えば、乾燥されたベチバーの根が、水に浸される。更に、１００℃〜１２５℃で３０分間〜４０分間に渡って、オートクレーブ抽出される。オートクレーブ抽出によって、乾燥されたベチバーの根から、容易に水溶性抽出液が得られる。特に、作業時間が短くて済むので、水溶性抽出液を得ることが容易となる。
【００５４】
あるいは、乾燥されたベチバーの根が水に浸されて、５０℃〜６５℃で、１〜２時間にわたって、熱水抽出されることでもよい。熱水抽出により、乾燥されたベチバーの根から確実に水溶性抽出液が得られる。熱水抽出では、時間は掛かるが、じっくりと抽出されるので、抽出される水溶性抽出液は、非常に精製度が高くなるメリットがある。
【００５５】
あるいは、乾燥されたベチバーの根がアルコールによって抽出されても良い（アルコール抽出）。アルコール抽出の場合には、オートクレーブ抽出や熱水抽出に比較して、ベチバーの根の有効成分をより残した状態で、ベチバー抽出液を抽出できる。
【００５６】
また、オートクレーブ抽出や熱水抽出以外でも、汎用的に知られている方法で抽出されれば良い。
【００５７】
また、ベチバーの根の水溶性抽出物を含んだ抽出液をそのまま消臭剤に使用することができるが、抽出液を遠心濃縮、加熱濃縮、減圧濃縮、オートクレーブ濃縮等の濃縮方法で濃縮して消臭剤として使用することもできる。濃縮されたベチバー抽出液が消臭剤に混合される際の工程が容易化される。
【００５８】
あるいは、濃縮されたベチバー抽出液が、希釈されてから、精製水やエタノールと混合されて、消臭剤１、２が製造されても良い。
【００５９】
また、ベチバー植物から抽出したことにより、ベチバー抽出液は褐色を呈している。しかし、ベチバー抽出液に色があると消臭剤を衣類に散布した場合に衣類が変色してしまうため、褐色成分を除去することも好適である。例えば、ベチバー抽出液を、ろ紙でろ過したり、膜孔径０．２μｍのセルロース膜でろ過したり、合成吸着剤で褐色成分を吸着したりして、褐色成分が除去される。
【００６０】
もちろん、褐色成分は、低い色素沈着力しか有さないので、褐色成分が除去されないで（あるいは簡単に除去されるだけで）消臭剤に用いられてもよい。褐色成分を有したままであると、消臭剤にも色味が生じ、ベチバー抽出液を主成分とする消臭剤であることが明確になり、使用者によっては好ましいこともあるからである。
【００６１】
このようにして得られたベチバー抽出液に、上述の比率で、精製水あるいはエタノールが混合されることで、消臭剤１、消臭剤２が得られる。なお、不可避混合物が混合されることを除外するものではない。
【００６２】
消臭剤１、消臭剤２は、例えば室内に噴出されると、室内のタバコの臭い、ペットの匂い、生ごみの匂い、汗の匂いなどを低減もしくは消失させることができる。また、消臭剤１、消臭剤２は、衣服に吹きつけられると、衣服についたタバコの臭い、ペットの匂い、生ごみの匂い、汗の匂いなどを低減もしくは消失させることができる。特に、生ごみなどの生臭い匂いであるトリメチルアミン臭や、汗の匂いであるアンモニア臭を、低減もしくは消失させることができる。消臭剤１、消臭剤２が含有するベチバー抽出液が、トリメチルアミン臭やアンモニア臭を分解すると考えられるからである。
【００６３】
また、上述のように、精製水に混合されることで、保管や持ち運びも容易となりつつ、ベチバー抽出液の拡散が図られる。これらの混合が相まって、消臭剤１、消臭剤２は、高い消臭効果を発揮できる。
【００６４】
（消臭剤３）
また、ベチバー抽出液を用いた消臭剤は、他の成分比率によって得られることも好適である。
【００６５】
消臭剤３は、消臭剤全体に対して７０体積％以上８０体積％以下の精製水と、消臭剤全体に対して５体積％以上６体積％以下のベチバー抽出液と、消臭剤全体に対して２０体積％以上２５体積％以下のエタノールと、を含む。もちろん、不可避混合物を含むことを除外するものではない。
【００６６】
消臭剤３は、消臭剤１と異なり、ベチバー抽出液の体積比率がより限定されている。この限定によって、他の成分比率と合わせて、消臭剤３は、より確実かつ一定の効果を生じさせることができる。当然ながら、ベチバー抽出液の量が限定されていることで、製造コストも低減できる。
【００６７】
消臭剤２も、ベチバー抽出液の有するトリメチルアミン臭や、汗の匂いであるアンモニア臭を、低減もしくは消失させる機能が、エタノールによって拡散して発揮される。
【００６８】
消臭剤３も、液体であるので、容器に詰めることができ、スプレーやミスト状で噴出されることができる。このため、様々な場所に設置しておくことができ、活用が広がる。当然ながら、消臭剤３は、精製水、ベチバー抽出液、エタノールを含むだけなので（不可避混合物を除く）、いずれも天然成分である。化学的に合成された化学的成分を含まない。結果として、人体にも優しく、アレルギーを生じさせたり、不快感を生じさせたりすることも少なくなる。
【００６９】
また、天然成分を主成分とする消臭剤３（消臭剤１なども同じ）は、衣服や壁などに吹きつけられても、これらを汚損したりいためたりすることも少ない。このため、多くの用途に簡単に使用できる。この結果、本発明の消臭剤は、広く普及しやすくなる。
【００７０】
（消臭剤４）
消臭剤４は、所定の成分比率で構成される。
【００７１】
消臭剤４は、消臭剤全体に対して７３体積％の精製水と、消臭全体に対して５体積％のベチバー抽出液と、消臭剤全体に対して２２体積％のエタノールと、を含む。
【００７２】
消臭剤４は、このように、一定の成分比率で製造される。このように成分比率が特定されることで、製造が容易であると共に、一定の効果を発揮できる消臭剤３が得られる。
【００７３】
消臭剤４も、ベチバー抽出液を含みつつエタノールを含むので、ベチバー抽出液が、エタノールの拡散によって拡散されやすくなる。ベチバー抽出液の含有量は、消臭剤４に対して５体積％であるので、消臭剤４は、十分な量のベチバー抽出液を有している。このベチバー抽出液は、トリメチルアミン臭や、汗の匂いであるアンモニア臭を、低減もしくは消失させる機能を有しており、消臭剤４は、この機能を活用して不快な臭いを低減もしくは消失させる。
【００７４】
（精油を含む消臭剤）
消臭剤は、更に精油を含んでも良い。精油は、様々な天然素材から抽出された油成分であり、種々の効能に加えて、芳香成分を有する。
【００７５】
ベチバー抽出液を用いる消臭剤は、ベチバー特有の匂いを有する。ベチバー特有の匂いは、嗜好が分かれるところであるが、使用者によっては気にされることもある。また、消臭剤も、一つの香りしか有していないことは、商品ラインアップとして不十分である。
【００７６】
精油は、様々な芳香成分を有しており、消臭剤に加えられることで、ベチバー特有の匂いを抑えると共に、他の匂いを生じさせる。結果として、消臭剤は、使用者の快適感を増しつつ、商品ラインアップを増加させることもできる。
【００７７】
精油は、消臭剤全体に対して、０．０３体積％以上０．１体積％以下の量で混合されれば良い。この混合比率であれば、精油による芳香が強くなりすぎることもない。消臭剤１〜４のいずれかで説明された消臭剤に、この混合比率での製油が混合されれば良い。
【００７８】
精油は、製造上の便宜、商品ラインアップとの関係で、選択されればよい。一例として、イランイランの精油が用いられることも好適である。これが用いられると、非常によい香りが広がるからである。
【００７９】
もちろん、イランイラン以外の精油が用いられてもよい。製造者や使用者の都合によって、様々な精油が選択されればよい。混合比率も、上述の０．０３体積％以上０．１体積％以下を外れても良い。例えば、ミントの精油が用いられてもよい。ミントの精油が用いられることで、消臭剤は、爽やかな香りを有するようになる。
【００８０】
（消臭剤５）
消臭剤５は、精油も含む場合の消臭剤であって、それぞれの成分の混合比率が特定されるものである。
【００８１】
消臭剤５は、消臭剤全体に対して８９体積％の精製水と、消臭剤全体に対して１０体積％のベチバー抽出液と、消臭剤全体に対して０．９体積％のエタノールと、消臭剤全体に対して０．１体積％の精油と、を含む。もちろん、不可避混合物を含むこともありえる。消臭剤５は、１０体積％のベチバー抽出液を含むので、十分な消臭機能を発揮できる。加えて、ベチバー抽出液が多すぎないことで、ベチバー特有の匂いが強すぎることもない。
【００８２】
また、０．１体積％の精油を含むことで、精油に由来する芳香が生じる。この芳香によって、使用者の快適感が更に高まる。もちろん、消臭するだけでなく、芳香も生じることで、より快適な使い心地になる。
【００８３】
消臭剤５も、液体であるので、容器に収容して様々な場所に設置できる。この結果、使用される機会が増えて、消臭剤５の普及が進む。
【００８４】
以上のように、精油が更に含まれることも好適である。
【００８５】
（実験結果）
【００８６】
ベチバー抽出液による消臭機能の確認実験について説明する。
【００８７】
（アンモニア消臭実験１）
乾燥されたベチバーの根（ベチバー植物の一例である。）１００ｇを１．８リットルの水に浸し、オートクレーブ抽出を１２１℃で４０分間行なった後、遠心濃縮及びろ過を行なってオートクレーブ抽出液を得た。オートクレーブ抽出の水溶性成分の抽出率（ベチバー根１００ｇ当たりの水溶性成分の重さ）は、６．３１％であった。なお、ろ過を行なっていない点以外は同様にオートクレーブ抽出を行なった結果、水溶性成分の抽出率は７．６６％であった。
【００８８】
また、乾燥されたベチバーの根１００ｇを１．８リットルの水に浸し、熱水抽出を５５〜６０℃で１．５時間行なった後、遠心濃縮及びろ過を行なって熱水抽出液を得た。熱水抽出の水溶性成分の抽出率は、６．４２％であった。
【００８９】
次に、容量５リットルのテドラーバッグの口元の栓をはずし、検知管に合う太さのシリコンチューブに付け替え、試薬注入場所としてテドラーバッグの隅を折り曲げてテープで止めた。折り曲げていない端部に、容積が変わらないように切り口を入れ、約５ｍｌに精秤した熱水抽出液を切り口から入れた後にテープで切り口に封をした。
【００９０】
そして、ポンプでテドラーバッグ内部の空気を抜き、積算流量計を用いて圧縮空気を４リットル入れ、クリップでシリコンチューブを閉じて密閉した。折り曲げてテープで止めていた部分即ち、熱水抽出液が付着していない部分にマイクロシリンジ（１０マイクロリットル容）を刺し、２５％アンモニア水３マイクロリットルを注入した。
【００９１】
そして、マイクロシリンジによって穴の開いた部分は、直ちにテープで閉じ、ドライヤーでテドラーバッグ全体を熱して溶液を気化させた（初期アンモニア濃度：６００ｐｐｍ）。その後、２分後、１０分後、２０分後、４０分後及び８０分後というように間隔を置き、検知器及び検知管を使用して、アンモニアの濃度を測定し、アンモニア残存率を算出した。
【００９２】
また、約５ｍｌに精秤したオートクレーブ抽出液を切り口から入れた後にテープで切り口に封をして、上記と同様の試験を行なった。
【００９３】
また、比較のために、約５ｍｌに精秤した単なる水を切り口から入れた後にテープで切り口に封をして、上記と同様の試験を行なった。結果を図１に示す。図１は、本発明の実施の形態におけるアンモニア消臭実験１の結果を示す説明図である。
【００９４】
図１から判るように、乾燥されたベチバーの根から抽出された、オートクレーブ抽出液と熱水抽出液は、どちらもアンモニアの消臭を始めて２分経過した時点で５０％以上（即ち、アンモニア残存率が５０％以下）消臭した。
【００９５】
（アンモニア消臭実験２）
乾燥されたベチバーの根１００ｇを１．８リットルの水に浸し、熱水抽出を５５〜６０℃で１．５時間行なった後、遠心濃縮及びろ過を行ない、更に１００℃で１．５時間、加熱濃縮して、ベチバー根熱水抽出液を得た。水溶性成分の抽出率は５．３９％であった。
【００９６】
また、ベチバー根熱水抽出液と比較するため、トウモロコシ由来成分抽出液消臭剤〔ファブリーズ（登録商標）、Ｐ＆Ｇ社製〕（水溶性成分の含有率：１．９４ｇ／１００ｍｌ）及び、カテキン由来成分抽出液消臭剤〔リセッシュ（登録商標）、花王株式会社製〕（水溶性成分の含有率：１．１１ｇ／１００ｍｌ）を用意した。
【００９７】
次に、容量５リットルのテドラーバッグの口元の栓をはずし、検知管に合う太さのシリコンチューブに付け替え、試薬注入場所としてテドラーバッグの隅を折り曲げてテープで止めた。折り曲げていない端部に、容積が変わらないように切り口を入れ、約３ｍｌに精秤したベチバー根熱水抽出液を切り口から入れた後にテープで切り口に封をした。
【００９８】
そして、ポンプでテドラーバッグ内部の空気を抜き、積算流量計を用いて圧縮空気を４リットル入れ、クリップでシリコンチューブを閉じて密閉した。折り曲げてテープで止めていた部分即ち、ベチバー根熱水抽出液が付着していない部分にマイクロシリンジ（１０マイクロリットル容）を刺し、２５％アンモニア水３マイクロリットルを注入した。
【００９９】
そして、マイクロシリンジによって穴の開いた部分は、直ちにテープで閉じ、ドライヤーでテドラーバッグ全体を熱して溶液を気化させた（初期アンモニア濃度：４００ｐｐｍ）。その後、２分後、１０分後、２０分後及び４０分後というように間隔を置き、検知器及び検知管を使用して、アンモニアの濃度を測定し、アンモニア残存率を算出した。
【０１００】
また、約３ｍｌに精秤したトウモロコシ由来成分抽出液消臭剤を切り口から入れた後にテープで切り口に封をして、上記と同様の試験を行なった。
【０１０１】
更に、約３ｍｌに精秤したカテキン由来成分抽出液消臭剤を切り口から入れた後にテープで切り口に封をして、上記と同様の試験を行なった。
【０１０２】
また、約３ｍｌに精秤した単なる水を切り口から入れた後にテープで切り口に封をして、上記と同様の試験を行なった。結果を図２に示す。図２は、本発明の実施の形態における消臭実験２の結果を示す説明図である。
【０１０３】
図２から判るように、ベチバー根熱水抽出液は、アンモニアの消臭を始めて１０分経過した時点で８０％を消臭（即ち、アンモニア残存率２０％）したのに対して、トウモロコシ由来成分抽出液消臭剤は、アンモニアの消臭を始めて１０分経過した時点で６５％を消臭（即ち、アンモニア残存率３５％）したに過ぎなかった。また、カテキン由来成分抽出液消臭剤は、アンモニアの消臭を始めて１０分経過した時点で４０％を消臭（即ち、アンモニア残存率６０％）したに過ぎなかった。
【０１０４】
更に、ベチバー根熱水抽出液は、アンモニアの消臭を始めて２０分経過した後や４０分経過した後もアンモニア残存率を低下させたのに対して、トウモロコシ由来成分抽出液消臭剤はアンモニアの消臭を始めて１０分経過した後はほとんどアンモニア残存率に変化がなく、カテキン由来成分抽出液消臭剤にいたっては、アンモニアの消臭を始めて２分経過した後は、ほとんどアンモニア残存率に変化がなかった。
【０１０５】
（アンモニア消臭実験３）
乾燥されたベチバーの根１００ｇを１．８リットルの水に浸し、熱水抽出を５５〜６０℃で１．５時間行なった後、得られた熱水抽出液を、ろ紙によってろ過し、更に膜孔径０．２μｍのセルロース膜によってろ過し、褐色成分が除去された第１のベチバー根熱水抽出液を得た。
【０１０６】
また、乾燥されたベチバーの根１００ｇを１．８リットルの水に浸し、熱水抽出を５５〜６０℃で１．５時間行なった後、得られた熱水抽出液を、ろ紙によってろ過し、更に膜孔径０．２μｍのセルロース膜によってろ過し、その後、合成吸着剤〔ダイヤイオン（登録商標）ＨＰ２０、三菱化学社製〕で更に褐色成分を吸着して、褐色成分が除去された第２のベチバー根熱水抽出液を得た。
【０１０７】
また、乾燥されたベチバーの根１００ｇを１．８リットルの水に浸し、熱水抽出を５５〜６０℃で１．５時間行なった後、得られた熱水抽出液を、ろ紙によってろ過し、更に膜孔径０．２μｍのセルロース膜によってろ過し、その後、合成吸着剤〔セパビーズ（登録商標）ＳＰ２０７、三菱化学社製〕で更に褐色成分を吸着して、褐色成分が除去された第３のベチバー根熱水抽出液を得た。
【０１０８】
次に、容量５リットルのテドラーバッグの口元の栓をはずし、検知管に合う太さのシリコンチューブに付け替え、試薬注入場所としてテドラーバッグの隅を折り曲げてテープで止めた。折り曲げていない端部に、容積が変わらないように切り口を入れ、約３ｍｌに精秤した第１のベチバー根熱水抽出液を切り口から入れた後にテープで切り口に封をした。
【０１０９】
そして、ポンプでテドラーバッグ内部の空気を抜き、積算流量計を用いて圧縮空気を４リットル入れ、クリップでシリコンチューブを閉じて密閉した。折り曲げてテープで止めていた部分即ち、第１のベチバー根熱水抽出液が付着していない部分にマイクロシリンジ（１０マイクロリットル容）を刺し、２５％アンモニア水３マイクロリットルを注入した。
【０１１０】
そして、マイクロシリンジによって穴の開いた部分は、直ちにテープで閉じ、ドライヤーでテドラーバッグ全体を熱して溶液を気化させた（初期アンモニア濃度：４００ｐｐｍ）。その後、２分後、１０分後、２０分後及び４０分後というように間隔を置き、検知器及び検知管を使用して、アンモニアの濃度を測定し、アンモニア残存率を算出した。
【０１１１】
また、約３ｍｌに精秤した第２のベチバー根熱水抽出液を切り口から入れた後にテープで切り口に封をして、上記と同様の試験を行なった。
【０１１２】
更に、約３ｍｌに精秤した第３のベチバー根熱水抽出液を切り口から入れた後にテープで切り口に封をして、上記と同様の試験を行なった。
【０１１３】
また、約３ｍｌに精秤した単なる水を切り口から入れた後にテープで切り口に封をして、上記と同様の試験を行なった。結果を図３に示す。図３は、本発明の実施の形態における消臭実験３の結果を示す説明図である。
【０１１４】
図２と図３の比較から判るように、ベチバー根熱水抽出液は、セルロース膜や合成吸着剤によって褐色成分が除去されても、カテキン由来成分抽出液消臭剤よりもアンモニア消臭効果が高かった。
【０１１５】
以上のように、ベチバー抽出液は、高いアンモニア消臭効果を有する。このベチバー抽出液が最適な混合比率で加えられていることで、消臭剤１〜４のそれぞれは、高い消臭効果を示しつつ、高い保存性や高い使用感をも実現できる。
【０１１６】
なお、実施の形態で説明された消臭剤は、本発明の趣旨を説明する一例であり、本発明の趣旨を逸脱しない範囲での変形や改造を含む。
【図１】
2015100423.tif 000002
【図２】
2015100423.tif 000003
【図３】
2015100423.tif 000004